(57)【要約】【課題】外蓋と金属板との間に隙間を設けて取付け金属板の浮きや変形を低減させることができる炊飯器を提供すること。【解決手段】上面が開口した本体７０と、本体７０内に着脱自在に収納される鍋７１と、本体７０内に設けられた鍋７１を加熱する加熱手段７２と、本体７０を開閉自在に覆う蓋と、蓋の外側を形成する外蓋７５の外面側に装着された金属板７７と、金属板７７面の一部に設けられた操作パネル７６とを備え、金属板７７を操作パネル７６の装着部の内部に外蓋７５と金属板７７との間に隙間を設けて取付け、金属板７７の浮きや変形を低減する。【選択図】図２
2014030468.tif 000002
【特許請求の範囲】
【請求項１】
上面が開口した本体と、前記本体内に着脱自在に収納される鍋と、前記本体内に設けられた前記鍋を加熱する加熱手段と、前記本体を開閉自在に覆う蓋と、前記蓋の外側を形成する外蓋と、前記外蓋の外面側に装着された金属板と、前記金属板面上の前記外蓋に一部に設けられた操作パネルとを備え、前記操作パネルの前記外蓋への装着部の内部に、前記金属板を前記外蓋との間に隙間を設けて取付けたことを特徴とする炊飯器。
【請求項２】
装着部に金属板の外蓋への取付け部を設け、前記金属板を前記取付け部の抜き穴直径よりネジ頭部の直径が大きいネジで取り付けることを特徴とする請求項１記載の炊飯器。
【発明の詳細な説明】
【技術分野】
【０００１】
本発明は、一般家庭、あるいは業務用に使用する炊飯器に関するものである。
【背景技術】
【０００２】
従来、この種の炊飯器は、例えば、図５に示されるような構成であった。図５において、１は本体に相当する保温釜本体で、この保温釜本体１は、ほぼ筒状の外枠２と、この外枠２の下面開口を覆って設けられた底板３とにより外郭が形成される。また、外枠２の上部外周部から一体に垂下させて形成されたほぼ筒状の内枠上部４と、この内枠上部４の下面開口を覆って設けられた下部内枠部材５とにより、保温釜本体１内に有底筒状の鍋収容部６が形成される。
【０００３】
鍋収容部６内には、米や水などの被炊飯物を収容する有底筒状の鍋１１が着脱自在に収容される。下部内枠部材５の外面の発熱体１３に対向する側面下部および底面部には、鍋１１を電磁誘導加熱する加熱手段としての加熱コイル１５が設けられている。鍋収容部６の後方の位置には、加熱コイル１５による加熱調節などの制御を行なう制御ユニット２１が配設されている。制御ユニット２１から加熱コイル１５に高周波電流を供給すると、加熱コイル１５から発生する交番磁界によって鍋１１の発熱体１３が発熱し、鍋１１ひいては鍋１１内の被炊飯物が加熱されるようになっている。
【０００４】
保温釜本体１の上側には、鍋１１の上面開口部を覆う蓋体２６が回動開閉自在に設けられている。すなわち、この蓋体２６は、その後部においてヒンジ２７により回動自在に支持されており、保温釜本体１の前上部に設けられたクランプ２８により閉じた状態に保持されるものである。
【０００５】
蓋体２６の外面を形成する外蓋３１は、非金属製すなわちポリプロピレンなどのプラスチック製で形成され、その外面側には、外蓋３１と所定の隙間４１を形成して、ステンレスなどの金属板４２が装着される。金属板４２の外面の一部に操作パネル５１を装着し、この操作パネル５１を装着した部分の内部に外蓋３１と金属板４２とを固着する固着部としてのネジを設けている。金属板４２と外蓋３１とを固着する例えばネジなどの固着部が、操作パネル５１を金属板４２の外面の一部に装着する際の装着部の内部に設けられた構成を有している。（例えば、特許文献１参照）
【先行技術文献】
【特許文献】
【０００６】
【特許文献１】特許第３５９０９６８号公報
【発明の概要】
【発明が解決しようとする課題】
【０００７】
しかしながら、前記従来の炊飯器の操作パネルを金属板の外面の一部に装着する際、装着部の内部に外蓋と金属板とをネジなどで固着する固着部を設けた構成では、非金属性すなわちポリプロピレンなどの樹脂で形成されている外蓋と、ステンレスなどの金属で形成されている金属板とでは、熱膨張率が異なるため、ポリプロピレンなどの樹脂は収縮しやすく変形しやすいが、金属は収縮しないため、熱負荷をかけていない未使用時のものと比べて、何度か使用して熱負荷がかかったものでは、樹脂で形成されている外蓋は収縮しているのに、収縮しない金属板とをネジで固着しているため、金属板が浮いてくるという課題を有していた。
【課題を解決するための手段】
【０００８】
前記従来の課題を解決するために、本発明の炊飯器は、上面が開口した本体と、前記本体内に着脱自在に収納される鍋と、前記本体内に設けられた前記鍋を加熱する加熱手段と、前記本体を開閉自在に覆う蓋と、前記蓋の外側を形成する外蓋と、前記外蓋の外面側に装着された金属板と、前記金属板面上の前記外蓋に一部に設けられた操作パネルとを備え、前記操作パネルの前記外蓋への装着部の内部に、前記金属板を前記外蓋との間に隙間を設けて取付けたものである。外蓋と金属板とをネジなどで固着させずに外蓋の金属板取付け部と金属板の外蓋取付け部との間に隙間を設けて取付けることにより、外蓋が収縮しても金属板との間に隙間があり固着していないため、金属板が浮いてくるのを低減することができる。
【発明の効果】
【０００９】
本発明の炊飯器によれば、ヒートサイクルにより熱負荷がかかり外蓋が収縮しても、外蓋と金属板が固着されていないので、間に設けた隙間の中で、金属板と外蓋の収縮分の差異を吸収することにより、金属板が浮いてくるなどの変形を低減することができる。
【図面の簡単な説明】
【００１０】
【図１】本発明の実施の形態１における炊飯器の部分断面図
【図２】本発明の実施の形態１における炊飯器の要部拡大断面図
【図３】図２のＡ矢視図
【図４】本発明の実施の形態１における炊飯器の要部拡大断面図
【図５】従来例の全体断面図
【発明を実施するための形態】
【００１１】
第１の発明は、上面が開口した本体と、前記本体内に着脱自在に収納される鍋と、前記本体内に設けられた前記鍋を加熱する加熱手段と、前記本体を開閉自在に覆う蓋と、前記蓋の外側を形成する外蓋と、前記外蓋の外面側に装着された金属板と、前記金属板面上の前記外蓋に一部に設けられた操作パネルとを備え、前記操作パネルの前記外蓋への装着部の内部に、前記金属板を前記外蓋との間に隙間を設けて取付けたことにより、ヒートサイクルにより熱負荷がかかり外蓋が収縮しても、外蓋と金属板が固着されていないので、間に設けた隙間の中で、金属板と外蓋の収縮分の差異を吸収することにより、金属板が浮いてくるなどの変形を低減することができる。
【００１２】
第２の発明は、特に、第１の発明において、装着部に金属板の外蓋への取付け部を設け、前記金属板を前記取付け部の抜き穴直径よりネジ頭部の直径が大きいネジで取り付けることにより、外蓋の金属板取付け部から金属板が抜けたり外れたりするのを防止することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における炊飯器の部分断面図を示すものである。図１において、炊飯器本体７０は有底筒状の鍋収納部７０ａを有し、鍋７１を着脱自在に収納する。底誘導加熱コイル７２は、鍋加熱手段を構成するもので、鍋収納部７０ａの底部に設け、鍋７１を誘導加熱して炊飯・保温を行う。底センサ−７３は、鍋７１の温度を検知し、制御部７４へ信号を送る。制御部７４は底センサ−７３の信号より、底誘導加熱コイル７２の通電量を制御し、鍋７１の加熱量を可変することで鍋７１の温度を炊飯・保温時に適温に制御するように構成している。炊飯器本体７０の上部は、炊飯器本体７０の後部のヒンジ部７９に設けたヒンジ軸８０にて軸支した開閉自在な蓋で覆っている。蓋の先端には蓋係合部８２を設けており、炊飯器本体７０の前方のフックボタン８３と閉蓋時に係合し、炊飯または保温中に蓋が開くのを防止している。フックボタン８３を押すと蓋係合部８２とフックボタン８３の係合が外れ、蓋のヒンジ部７９に設けたヒンジバネ８１の力によって蓋が開くように構成している。
【００１５】
図２は、本発明の実施の形態１における炊飯器の要部拡大断面図を示すものである。図２において、蓋の外側を形成する外蓋７５の外面側に金属板７７を装着し、金属板７７面の一部に操作パネル７６を設け、操作パネル７６の装着部の内部に外蓋の金属板取付け部７５ａのボスに金属板７７の外蓋取付け部７７ａの抜き穴を合わせて取付ける。このとき金属板の外蓋取付け部７７ａと外蓋７５には隙間が設けられており、金属板の外蓋取付け部７７ａは浮いている状態に構成されている。
【００１６】
図３は、本発明の実施の形態１における炊飯器の図２のＡ矢視図を示すものである。図３において、外蓋の金属板取付け部７５ａのボス直径よりも金属板の外蓋取付け部７７ａの抜き穴直径の方がわずかに大きくなっており、外蓋の金属板取付け部７５ａのボスと金属板の外蓋取付け部７７ａの抜き穴の間に隙間を設けて取付けられている。
【００１７】
図４は、本発明の実施の形態１における炊飯器の要部拡大断面図を示すものである。図４において、外蓋の金属板取付け部７５ａに金属板の外蓋取付け部７７ａと隙間を設けて、金属板の外蓋取付け部７７ａの抜き穴直径よりネジ頭部の直径が大きいネジ７８などで締付けることにより、外蓋の金属板取付け部７５ａのボスから金属板の外蓋取付け部７７ａが抜けたり外れたりするのを防止することができる。
【００１８】
以上のように構成された炊飯器について、以下その作用を説明する。まず、蓋の外側を形成する外蓋７５の外面側に金属板７７を装着し、金属板７７面の一部に操作パネル７６を設け、操作パネル７６の装着部の内部に外蓋７５の金属板取付け部７５ａのボスに金属板７７の外蓋取付け部７７ａの抜き穴を合わせて取付ける。このとき非金属性すなわちポリプロピレンなどの樹脂で形成されている外蓋７５と、ステンレスなどの金属で形成されている金属板７７とでは、熱膨張率が異なるため、使用後のヒ−トサイクルなどで熱負荷がかかり、ポリプロピレンなどの樹脂で形成している外蓋７５は収縮しやすく変形しやすいが、金属は収縮しないため、外蓋７５と金属板７７の取付け部に差異が生じる。外蓋の金属板取付け部７５ａのボス直径よりも金属板の外蓋取付け部７７ａの抜き穴直径の方がわずかに大きくなっており、外蓋の金属板取付け部７５ａのボスと金属板の外蓋取付け部７７ａの抜き穴の間に隙間を設けて取付けられていることにより、ヒートサイクルにて熱負荷がかかり外蓋７５が収縮しても、外蓋７５と金属板７７が固着されていないので、間に設けた隙間の中で、金属板７７と外蓋７５の収縮分の差異を吸収することができ、金属板７７が浮いてくるなどの変形を低減することができる。
【００１９】
さらに、外蓋の金属板取付け部７５ａのボスに金属板の外蓋取付け部７７ａと隙間を設けて、金属板の外蓋取付け部７７ａの抜き穴直径よりネジ頭部の直径が大きいネジ７８などで締付けることにより、外蓋の金属板取付け部７５ａのボスから金属板の外蓋取付け部７７ａが抜けたり外れたりするのを防止することができる。このように構成した金属板７７は、外蓋７５に固着されずに外蓋７５とは隙間を設けているが、外蓋７５とは設けた隙間の分しか移動することはなく、抜けたり外れたりすることはない。
【００２０】
また、外蓋の金属板取付け部７５ａと金属板の外蓋取付け部７７ａの隙間をボス直径より抜き穴直径を大きくするという径方向に隙間を設けているため、方向性の規制がなく、熱負荷による金属板の外蓋取付け部７７ａと樹脂収縮した外蓋の金属板取付け部７５ａとの差異を吸収しやすくしている。
【００２１】
また、操作パネル７６の装着部の内部に外蓋７５と金属板７７の取付け部を複数箇所設けることにより、外蓋７５と金属板７７の取付けをより安定させることができる。
【００２２】
さらに、ものづくりにおいても金属板の外蓋取付け部７７ａは抜き型の変更のみであり、外蓋の金属板取付け部７５ａは従来の共用部品として使用することができ、取付け構成は新規であるが、各部品はわずかな変更や共用部品で構成することができる。
【００２３】
なお、本実施の形態では、蓋の外郭を金属板７７と操作パネル７６で覆っているが、炊飯器本体７０の一部に操作部を有し、同様な金属板７７と操作パネル７６で覆うように構成してもよく、同様の効果を得ることができる。
【産業上の利用可能性】
【００２４】
以上のように、本発明にかかる炊飯器は、操作パネルの装着部の内部に外蓋と金属板とを固着させずに、間に隙間を設けて取付けることにより、金属板が浮いてくるなどの変形を低減させることができ、使用後の熱負荷による外観品位を向上させることができるので、家庭用又は業務用の炊飯器にも適用できる。
【符号の説明】
【００２５】
７０    炊飯器本体
７０ａ  鍋収納部
７１    鍋
７２    底誘導加熱コイル（加熱手段）
７３    底センサ−
７４    完成制御ユニット（制御部）
７５    外蓋
７５ａ  外蓋の金属板取付け部（ボス）
７６    操作パネル
７７    金属板
７７ａ  金属板の外蓋取付け部
７８    ネジ（金属板外れ防止用）
７９    ヒンジ部
８０    ヒンジ軸
８１    ヒンジバネ
８２    蓋係合部
８３    フックボタン
【図１】
2014030468.tif 000003
【図２】
2014030468.tif 000004
【図３】
2014030468.tif 000005
【図４】
2014030468.tif 000006
【図５】
2014030468.tif 000007